(57)【要約】【課題】故人の粉骨又は遺灰等を天空に散布することができる花火を提供する。【解決手段】花火を構成する表面部材と、その表面部材でおおわれた空間の中心部に詰められた割薬と、その割薬の外周に配置する多数の星とからなる花火において、前記星は火葬場で焼却された遺骨を粉状にした骨粉と火薬とを混合して構成したことを特徴とする花火である。また、前記骨粉は少なくとも０．０５ｍｍ以下の粒子として粉体化したものであり、さらに前記骨粉には燃焼を促進する燃焼材が含浸または混合してある。花火を打ち上げた際に星２火薬が燃焼した時に同時に骨粉が完全に燃焼してしまうように構成されている。【選択図】図１
0003121761.tif 000002
【実用新案登録請求の範囲】
【請求項１】
花火の外郭を構成する表面部材と、その表面部材でおおわれた空間の中心部に詰められた割薬と、その割薬の外周に配置する多数の星とからなる花火において、前記星は火葬場で焼却された遺骨を粉状にした骨粉と火薬とを混合して構成したことを特徴とする花火。
【請求項２】
前記骨粉は少なくとも０．０５ｍｍ以下の粒子として粉体化したものであることを特徴とする請求項１に記載の花火。
【請求項３】
前記骨粉には燃焼を促進する燃焼材が含浸または混合してあることを特徴とする請求項１または請求項２に記載の花火。
【請求項４】
前記燃焼材はアルコール、ガソリン等の液体燃料であることを特徴とする請求項３に記載の花火。
【考案の詳細な説明】
【技術分野】
【０００１】
本考案は、故人の粉骨又は遺灰やペットの粉骨又は遺灰等を天空に散布することができる花火に関するものである。
【背景技術】
【０００２】
我が国では一般に、葬儀として、故人は火葬された後その遺骨ないし亡骸が骨壷に収められ、寺社に設けられた墓地に埋葬されることが行われている。
しかし、最近では価値観の多様化等が影響して、故人の生前の意志、またそれを実現しようとする遺族の意志により、様々な葬送方式が顕在的に希望されるに至っている。
このような様々な価値観等に対応するための葬送様式の一つとして花火を利用した散骨方法が提案されている（特許文献１、特許文献２）。
【０００３】
【特許文献１】特開平１１−１３７４１１号公報
【特許文献２】特開２００１−２４５９４０号公報
【考案の開示】
【考案が解決しようとする課題】
【０００４】
上記特開平１１−１３７４１１号公報において示されている「遺灰散骨方法および装置」は、粉骨を収容した紙あるいは合成樹脂等からなる袋を発光部材（いわゆる星）と混在させて構成した花火であり、この花火を打ち上げることにより天空に遺灰をまき散らすようにしている。しかし、この方法では、遺骨は空中で完全燃焼することはなく空中に散布された遺灰はそのまま大気中の塵芥となり、空中に漂う、あるいは地上に落下することになり、環境面で大きな問題がある。
【０００５】
また、特開２００１−２４５９４０号公報にしめされる「散骨装置および該装置を用いた葬儀方法」は、空中で破裂可能なように割薬を装填する半球部位と故人を偲ばせる遺灰等を装填する半球部位とを組み合わせた花火として構成されている。前記遺灰を装填する半球部位には、蓋部と、該蓋部により開閉可能とされた前記遺灰等を装填するための開口部とが形成されている。前記割薬を装填する半球部位には、前記破裂の際に発光を伴って燃焼し飛跡する火薬玉である星が配列されている。そして前述した半球部位同士を繋ぎ合わせて一つの花火とし、この花火を打ち上げことにより遺灰を空中散布（自然葬）することができる。
【０００６】
しかし特許文献２に記載されたものも、遺灰を砕いた骨粉を花火の中に収納したものであり、さらに骨粉の中には多数の骨片（数ミリ程度の大きさのものが含まれる）が混合しており、花火を打ち上げた際に骨片が完全に燃焼することはなく、このため、特許文献１と同様に燃え残りの遺灰が大気中に散乱し、環境上での問題を生じる。
【０００７】
本考案は、上記事情に鑑みてなされたものであり、その目的とするところは、遺灰等を自然へ回帰させるという価値観ないし死生感に応じ、当該遺灰等を天空中に散布する葬送様式において、花火の中に混入した骨粉を花火を打ち上げた時に大気中で完全に燃焼させ、全てを煙として大気中に骨粉を一切残さないようにした散骨用の花火を提供することである。本考案に係る花火によれば、天空中には全く骨片がのこることがなくなり、また燃焼時に骨粉の殆どが煙となってしまうため、環境汚染等の問題は解消できる。
【課題を解決するための手段】
【０００８】
このため、本考案が採用した技術解決手段は、
花火の外郭を構成する表面部材と、その表面部材でおおわれた空間の中心部に詰められた割薬と、その割薬の外周に配置する多数の星とからなる花火において、前記星は火葬場で焼却された遺骨を粉状にした骨粉と火薬とを混合して構成したことを特徴とする花火である。  また、前記骨粉は少なくとも０．０５ｍｍ以下の粒子として粉体化したものであることを特徴とする花火である。
また、前記骨粉には燃焼を促進する燃焼材が含浸または混合してあることを特徴とする花火である。
また、前記燃焼材はアルコール、ガソリン等の液体燃料であることを特徴とする花火である。
【考案の効果】
【０００９】
本考案に係る花火によれば、
１．花火を打ち上げた時に、少なくとも０．０５ｍｍ以下、望ましくは０．０１ｍｍ以下の粒子からなる骨粉は火薬の燃焼により略完全に燃焼するため大気中には殆ど骨片が残ることがない。
２．骨粉にアルコールやガソリン等の燃料を含浸させたり、混合することによりより一層骨粉は完全燃焼することになり、環境上での問題は解消できる。
３．骨粉が完全燃焼する際に、カルシウムが燃焼する際の色が発色するため、参列者に対して故人が天空に昇天したと感じさせることができる。
等の特有の効果を達成することができる。
【考案を実施するための最良の形態】
【００１０】
本考案は、花火を構成する表面部材と、その表面部材でおおわれた空間の中心部に詰められた割薬と、その割薬の外周に配置する多数の星とからなる花火において、前記星は焼却場で焼却された遺骨を粉状にした骨粉と火薬とを混合して構成したことを特徴としている。
【実施例】
【００１１】
以下、本考案の実施例を添付図に基づいて説明する。図１は本考案に係る花火の一部破断断面図である。
花火は、公知のように、花火の外郭を構成する略球形の表面部材（ケース）１と、その表面部材１によってかこまれた空間の中心部に配置する割薬３と、この割薬３の外周と表面部材１の内面との間に多数装填した星２と、花火に点火する導火線４とから構成されている。なお、表面部材１の形状は球形のみでなく、筒状など種々の形態を採用することができる。
【００１２】
前記表面部材１は通常は紙等を重ね合わせた材料を使用して球形として構成されており、また表面部材の空間内に装填する割薬３は起爆材であり、従来の花火と同様のものを使用する。さらに前記割薬３の外周面に多数配置する星２は、故人あるいは動物を火葬場で焼却した後に残る遺骨を粉状（少なくとも０．０５ｍｍ以下、望ましくは０．０１ｍｍ以下のパウダー状の粉）に粉砕した骨粉と火薬とを適宜量混ぜあわせた材料で作られており、花火を打ち上げた際に星２の火薬が燃焼した時に同時に骨粉が完全に燃焼してしまうように構成されている。このため、骨粉には予めアルコールやガソリン等の液体燃料を含浸させておくことも可能である。さらに星には適宜発色材を混合することも可能である。なお、骨の粉はすり鉢等により良く磨り潰した粉状に形成しておき、また星の火薬に混ぜる量は、星の火薬が燃焼する際に完全に骨粉が燃焼し、煙となるような量とすることが重要である。
【００１３】
上記した構成からなる花火では、打上筒に収められた花火に導火線から点火することで花火は天空に打ち上げられ、星に点火されて燃焼・飛散が誘発され花火となる。星の中に混入しているパウダー状の骨粉は星の燃焼に伴って完全に焼却され煙となり、大気中には骨粉は残ることはない。こうして、本考案に係る花火では、散骨する際に殆ど大気中を塵埃で汚染することが無くなり、環境上でも問題のない花火とすることができる。
【００１４】
本実施形態においては、使用する遺骨は、死亡した動物（故人）を公共の火葬場で焼却した遺骨を使用するものであり、また星に混入する骨粉の量は完全に星の燃焼に伴って完全に燃焼し尽くしてしまう量を使用することが重要である。このため、骨粉の量は星の火薬量、大きさ等により適宜選定する必要がある。また、骨粉としては人骨に限らず、ペット等動物の骨等にも適用できることは言うまでもない。
以上、本考案に係る実施例について説明してきたが、本考案はその精神または主要な特徴から逸脱することなく、他のいかなる形でも実施できる。そのため、前述の実施例はあらゆる点で単なる例示にすぎず限定的に解釈してはならない。
【産業上の利用可能性】
【００１５】
本考案は、故人の生前の意志、またそれを実現しようとする遺族の意志によって行なう散骨、あるいは可愛がっていたペット等の散骨に適した花火として利用することができる。
【図面の簡単な説明】
【００１６】
【図１】本考案に係る花火の一部破断断面図である。
【符号の説明】
【００１７】
１            表面部材（ケース）                                                ２            星
３            割薬
４            導火線
【図１】
0003121761.tif 000003